(57)【特許請求の範囲】
【請求項１】
（ａ）非イオン界面活性剤１０〜６０重量％、（ｂ）脂肪酸及び脂肪酸塩の少なくとも１種０．０５〜１０重量％及び（ｃ）下記一般式（１）〜（３）の化合物から選ばれる１種以上の水溶性カチオン系抗菌剤０．１〜２０重量％を含有し、（ｃ）／（ｂ）重量比が１．２以上である洗濯用液体洗浄剤組成物。
【化１】
0003556554.tif 000007
〔式中、Ｒ１及びＲ６は炭素数５〜１９のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は
【化２】
0003556554.tif 000008
である。Ｒ４は炭素数１〜３のアルキレン基であり、Ｒ５は炭素数１〜６のアルキレン基又は−(Ｏ−Ｒ７)ｎ−である。ここでＲ７はエチレン基又はプロピレン基であり、ｎは１〜１０の数である。ｍは０又は１である。Ｙ−は陰イオン基である。〕
【化３】
0003556554.tif 000009
〔式中、Ｒ８〜Ｒ１１の中で２つ以上は炭素数８〜１０のアルキル基であり、それ以外は炭素数１〜３のアルキル基又はヒドロキシアルキル基である。Ｙ−は陰イオン基である。〕
【請求項２】
（ｂ）脂肪酸及び脂肪酸塩が、ケン化価２３５〜２８０、ヨウ素価２〜２０、中和価２３０〜２８０である請求項１記載の洗濯用液体洗浄剤組成物。
【請求項３】
〔（ｃ）〕＞〔（（ｂ）＋その他の陰イオン界面活性剤）×１〕のモル比を満たす請求項１又は２記載の洗濯用液体洗浄剤組成物。
【請求項４】
（ａ）非イオン界面活性剤が、次の一般式（４）及び（５）で表される化合物の少なくとも１つである請求項１〜３の何れか１項記載の洗濯用液体洗浄剤組成物。
Ｒ１２Ｏ(ＥＯ)ｊＨ                  （４）
〔式中、Ｒ１２は平均炭素数８〜２０の一級の分岐鎖アルキル基又は二級のアルキル基の少なくとも１つである。ＥＯはエチレンオキサイドであり、ｊは平均付加モル数として５〜２０である。〕
Ｒ１３Ｏ[(ＥＯ)ｋ／(ＰＯ)ｌ]Ｈ      （５）
〔式中、Ｒ１３は平均炭素数８〜２０の一級のアルキル基である。ＥＯはエチレンオキサイド、ＰＯはプロピレンオキサイドを示す。ｋ及びｌは平均付加モル数であり、ｋは５〜１５、ｌは１〜５である。ＥＯとＰＯはランダム付加、ブロック付加でもよい。〕
【発明の詳細な説明】
【０００１】
【発明の属する技術分野】
本発明は液体洗浄剤組成物に関する。
【０００２】
【従来の技術】
近年、衛生に対する意識が高まっており、洗濯用洗剤分野においても、洗濯後衣料の生乾き臭や洗濯後長期貯蔵による異臭の発生を抑制するという、抗菌による効果を奏した製品が上市されている。また、漂白剤の多くは抗菌効果を有することから、洗濯用洗剤に塩素系や酸素系の漂白剤を添加する試みは以前からなされていた。しかし、抗菌効果の高いことが知られている塩素系漂白剤は色柄物の色落ちの問題が広く知られている。酸素系の漂白剤についても色落ちの問題があり、金属等の存在下における脱色が知られており、又一般に弱アルカリ性である衣料用重質液体洗剤に安定配合するのは困難であることが当業界では明かである。
【０００３】
一方、衛生分野の洗浄剤に広く使用されているカチオン系の抗菌剤は、抗菌スペクトル帯が広く速効性に特徴があることから衣料用洗剤に配合する試みがなされている。しかし、界面活性剤として陰イオン界面活性剤を使用した場合や、タンパク等の陰イオン電荷を有する物質の存在下においては、カチオン系抗菌剤の活性は大幅に低下してしまうという製品保存安定性の問題があった。特開平１−１９７５９８号公報には、ノニオン界面活性剤を主成分として特定のアニオン界面活性剤、カチオン系界面活性剤タイプの抗菌剤、更に安息香酸塩を配合した抗菌効果を示す安定な液体洗濯用洗剤が開示されている。しかし、上記特許公報に開示されている組成物は、抗菌剤の被洗浄物への残留性が低いという問題があり、洗浄浴中での菌の減少は認められるものの、乾燥工程における菌の増殖に対する効果は十分とはいえなかった。
【０００４】
【発明が解決しようとする課題】
本発明の課題は抗菌効果、特に被洗浄物への残留による抗菌効果に優れ、製品保存安定性の良好な液体洗浄剤組成物を提供することにある。
【０００５】
【課題を解決するための手段】
本発明は、（ａ）非イオン界面活性剤１０〜６０重量％、（ｂ）脂肪酸及び脂肪酸塩の少なくとも１種０．０５〜１０重量％及び（ｃ）水溶性カチオン系抗菌剤０．１〜２０重量％を含有し、（ｃ）／（ｂ）重量比が１．２以上である液体洗浄剤組成物を提供する。
【０００６】
【発明の実施の形態】
（ａ）成分
本発明の（ａ）成分である非イオン界面活性剤は、例えばアルキル基の炭素数が８〜２０の脂肪族アルコール、アルキル基の炭素数が９〜２１の脂肪酸及び脂肪酸アルキルエステル、アルキル基の炭素数が８〜２０の脂肪族アミン等の、非共有電子対を持つ原子を１つ以上有する化合物にエチレンオキサイド（以下ＥＯ）、プロピレンオキサイド（以下ＰＯ）等のアルキレンオキサイドを常法に従い付加させたもの、糖由来のポリオールを親水基とするもの、あるいは脂肪酸アミド系のもの等が挙げられる。
【０００７】
（ａ）成分の非イオン界面活性剤としては、次の一般式（４）及び（５）にて示される非イオン界面活性剤の少なくとも１つが好ましい。
Ｒ１２Ｏ（ＥＯ）ｊＨ          （４）
〔式中、Ｒ１２は平均炭素数８〜２０、好ましくは１０〜１８の一級の分岐鎖アルキル基又は二級のアルキル基である。ＥＯはエチレンオキサイドであり、ｊは平均付加モル数として５〜２０である。〕
Ｒ１３Ｏ［（ＥＯ）ｋ／（ＰＯ）ｌ］Ｈ      （５）
〔式中、Ｒ１３は平均炭素数８〜２０のアルキル基又はアルケニル基である。ＥＯはエチレンオキサイド、ＰＯはプロピレンオキサイドを示す。ｋ及びｌは平均付加モル数であり、ｋは５〜１５、ｌは１〜５である。ＥＯとＰＯはランダム付加でもブロック付加でもよい。ブロック付加の場合はＥＯを付加した後、ＰＯを付加してもよく、またその逆でもよい。〕。
【０００８】
一般式（４）の非イオン界面活性剤は、通常市販されているものを使用してもよく、また周知の方法で合成されたもしくは天然油脂から誘導されたＲ１２のアルキル基を有するアルコールにＥＯを公知の方法で付加することによって製造することができる。
【０００９】
また、一般式（５）の非イオン界面活性剤は、通常市販されているものを使用してもよく、また周知の方法で合成されたもしくは天然油脂から誘導されたＲ１３のアルキル基を有するアルコールにＥＯ及びＰＯを公知の方法で付加することによって製造することができる。ＥＯとＰＯの付加方法がランダムであるか、ブロックであるか又はブロック付加の際の末端がＥＯであるか、ＰＯであるかの違いによって、本発明の（液体）洗浄剤組成物の性質は変わってくるが、本発明においてこれらの性質の違いは、基本的には既に知られている通りである。
【００１０】
また、非イオン界面活性剤として下記一般式（６）で示される非イオン界面活性剤を用いることで、特にエリ・そで口汚れに対する高洗浄力を得ることができる。
Ｒ１４Ｏ（ＥＯ）ｐ（ＰＯ）ｑ（ＥＯ）ｒＨ    （６）
〔式中、Ｒ１４は炭素数８〜２０の直鎖のアルキル基又はアルケニル基である。ＥＯ、ＰＯは前記と同じ意味である。ｐ、ｑ及びｒは平均付加モル数を表しｐ＞０、ｑ＝１〜４、ｒ＞０、ｐ＋ｑ＋ｒ＝６〜１４、ｐ＋ｒ＝５〜１２である。好ましくはｐ＋ｑ＋ｒ＝７〜１４、ｐ＋ｒ＝６〜１２、ｑ＝１〜２である。〕。
【００１１】
一般式（６）の非イオン界面活性剤は、周知の方法で合成された、もしくは天然油脂から誘導されたＲ１４のアルキル基を有するアルコールにＥＯ、ＰＯの順序で付加した後、再度ＥＯを付加することで合成される。
【００１２】
非イオン界面活性剤としては、上記に示したもの以外に次の一般式（７）
Ｒ１５−（ＯＲ１６）ｘＧｙ        （７）
〔式中、Ｒ１５は直鎖又は分岐鎖の炭素数８〜１８のアルキル基、アルケニル基、又はアルキルフェニル基、Ｒ１６は炭素数２〜４のアルケニル基、Ｇは炭素数５又は６の還元糖に由来する残基、ｘは平均値０〜６の数、ｙは平均値１〜１０の数を示す。〕
で表されるアルキル多糖界面活性剤、脂肪酸アルカノールアミド、ポリヒドロキシ脂肪酸アミド等が配合できる。
【００１３】
本発明の液体洗浄剤組成物は、（ａ）成分の非イオン界面活性剤を１０〜６０重量％、好ましくは２０〜５０重量％、より好ましくは３０〜５０重量％含有する。洗浄性能の点で１０重量％以上、水への分散性の容易さの点で６０重量％以下である。
【００１４】
（ｂ）成分
本発明における（ｂ）成分の脂肪酸及び脂肪酸塩は、抗菌剤の非洗浄物への残留性の点で、ケン化価２３５〜２８０、ヨウ素価２〜２０、中和価２３０〜２８０が好ましく、ケン化価２４５〜２７０、ヨウ素価４〜１８、中和価２４０〜２７０がより好ましく、ケン化価２５０〜２６５、ヨウ素価６〜１５、中和価２４５〜２６５が更に好ましく、ケン化価２５５〜２６０、ヨウ素価８〜１２、中和価２５０〜２６０が特に好ましい。ケン化価の測定はＪＩＳ  Ｋ  ３３３１５．３、ヨウ素価の測定はＪＩＳ  Ｋ  ３３４１５．２、中和価の測定はＪＩＳ  Ｋ
３３４１５．１により行う。
【００１５】
本発明の液体洗浄剤組成物は、（ｂ）成分の脂肪酸及び脂肪酸塩の少なくとも１種を０．０５〜１０重量％含有することが好ましく、０．２〜８重量％がより好ましく、０．８〜５重量％が更に好ましい。抗菌剤の非洗浄物への残留性の点で０．０５重量％以上であり、洗浄剤組成物の抗菌性の点で１５重量％以下である。
【００１６】
（ｃ）成分
本発明における（ｃ）成分の水溶性カチオン系抗菌剤は、通常市販されているものを使用してもよく、また周知の方法で合成されたものを用いることができる。ここで、本発明における水溶性とは、２０℃の水１００ｇへの溶解度が１ｇ以上、好ましくは２ｇ以上であることをいう。更に抗菌剤としては、木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物が好ましい。
【００１７】
本発明の（ｃ）成分としては、一般式（１）〜（３）で表される化合物から選ばれる１種以上が好ましい。
【００１８】
【化４】
0003556554.tif 000002
【００１９】
〔式中、Ｒ１及びＲ６は炭素数５〜１９のアルキル基又はアルケニル基であり、Ｒ２、Ｒ３は炭素数１〜３のアルキル基又はヒドロキシアルキル基である。Ｘは−ＣＯＯ−、−ＯＣＯ−、−ＣＯＮＨ−、−ＮＨＣＯ−又は
【００２０】
【化５】
0003556554.tif 000003
【００２１】
である。Ｒ４は炭素数１〜３のアルキレン基であり、Ｒ５は炭素数１〜６のアルキレン基又は−（Ｏ−Ｒ７）ｎ−である。ここでＲ７はエチレン基又はプロピレン基であり、ｎは１〜１０の数である。ｍは０又は１である。Ｙ−は陰イオン基、好ましくはハロゲンイオン、炭素数１〜３のアルキル硫酸イオン又は脂肪酸イオンである。〕
【００２２】
【化６】
0003556554.tif 000004
【００２３】
〔式中、Ｒ８〜Ｒ１１の中で２つ以上は炭素数８〜１０のアルキル基であり、それ以外は炭素数１〜３のアルキル基又はヒドロキシアルキル基好ましくはメチル基、エチル基、ヒドロキシエチル基である。Ｙ−は陰イオン基、好ましくはハロゲンイオン、炭素数１〜３のアルキル硫酸イオン又は脂肪酸イオンである。〕。
【００２４】
一般式（１）において、▲１▼Ｘがパラフェニレン基（−Ｃ６Ｈ４−）でｍ＝１の場合、Ｒ１は好ましくは炭素数５〜１６、更に好ましくは炭素数６〜１３、最も好ましくは炭素数７〜１０のアルキル基であり、Ｒ５は好ましくは−（Ｏ−Ｒ７）ｎ−基であり、Ｒ７は好ましくはエチレン基であり、ｎは好ましくは１〜５の数であり、Ｒ２及びＲ３は好ましくはメチル基又はヒドロキシエチル基であり、Ｒ４は好ましくはメチレン基である。また、一般式（１）において、▲２▼ｍ＝０の場合（１−２−ａ）あるいは▲３▼Ｘが−ＣＯＯ−、−ＯＣＯ−、−ＣＯＮＨ−、−ＮＨＣＯ−でｍ＝１の場合（１−２−ｂ）、Ｒ１は好ましくは炭素数７〜１８、更に好ましくは炭素数９〜１７、最も好ましくは炭素数１１〜１６のアルキル基であり、Ｒ５は好ましくはメチレン基であり、Ｒ２及びＲ３は好ましくはメチル基又はヒドロキシエチル基であり、Ｒ４は好ましくはメチレン基である。
【００２５】
一般式（２）において、Ｒ６は好ましくは炭素数８〜１８、更に好ましくは炭素数１１〜１７のアルキル基である。
【００２６】
本発明では、一般式（１）の化合物が殺菌効果の点で好ましい。また、一般式（３）において、好ましくはＲ８〜Ｒ１１のうち２つが炭素数８〜１０のアルキル基であり、残りの２つがメチル基又はヒドロキシエチル基である。
【００２７】
本発明では、一般式（３）の化合物を単独でも使用できるが、一般式（１）及び一般式（２）の少なくとも１つの化合物と併用することが効果の点で好ましく、重量比は〔一般式（３）の化合物〕／〔一般式（１）の化合物＋一般式（２）の化合物〕＝１／１０〜１０／１、特に１／５〜５／１が好ましい。
【００２８】
本発明の液体洗浄剤組成物は、（ｃ）成分の水溶性カチオン系抗菌剤を０．１〜２０重量％、好ましくは０．５〜１５重量％、より好ましくは１〜１０重量％含有する。抗菌性の点で０．１重量％以上、洗浄性能の点で２０重量％以下である。
【００２９】
陰イオン界面活性剤等の陰イオン電荷を有する物質の存在下においては、水溶性カチオン系抗菌剤と複合体を形成し、これにより抗菌活性は低下してしまう。洗濯液中の抗菌性だけ見れば複合体を形成させないように陰イオン界面活性剤等を極力下げる方が好ましい。しかし、水溶性カチオン系抗菌剤は、それ自身では布等の被洗浄物への吸着性が低いため、乾燥工程での菌の増殖を押さえるには不十分であるため、異臭を防止する効果が低い。一方、脂肪酸及びその塩と水溶性カチオン系抗菌剤により形成された複合体は、洗濯液中での抗菌性は水溶性カチオン系抗菌剤単独に比べやや劣るものの、布等の被洗浄物への吸着性が、水溶性カチオン系抗菌剤単独や他の陰イオン界面活性剤と水溶性カチオン系抗菌剤により形成された複合体よりも高いため、濯ぎ行程での残存率が高く、乾燥工程での菌の増殖を効果的に押さえることができる。
【００３０】
以上のことから、本発明においては、（ｃ）／（ｂ）重量比が抗菌性の点で１．  ２以上、更に１．５以上、特に２以上が好ましく、被洗浄物への残留性の点で５０以下、更に２０以下、特に１０以下が好ましい。
【００３１】
（その他の成分）
本発明の液体洗浄剤組成物には、界面活性剤として、脂肪酸塩を除く陰イオン界面活性剤、陽イオン界面活性剤、両性界面活性剤を配合しても良い。
【００３２】
脂肪酸塩を除く陰イオン界面活性剤としては、アルキルベンゼンスルホン酸塩、アルキル硫酸エステル塩、アルケニル硫酸エステル塩、アルファスルホ脂肪酸メチルエステル塩、オレフィンスルホン酸塩、アルカンスルホン酸塩を少量用いても良い。その際、抗菌性の点から、〔（ｃ）成分〕＞〔（（ｂ）成分＋その他の陰イオン界面活性剤）×１〕、特に〔（ｃ）成分〕＞〔（（ｂ）成分＋その他の陰イオン界面活性剤）×１．１〕のモル比で組成物中に配合されるのが好ましい。
【００３３】
該陰イオン界面活性剤の対イオンとしてはナトリウム、カリウム等のアルカリ金属以外に、マグネシウム等のアルカリ土類金属、モノ、ジ、トリエタノールアミン等のアルカノールアミン等が挙げられ、特にアルカノールアミンを用いることで液安定性が向上する。また、該陰イオン界面活性剤を酸形態で組成中に配合してもよく、別途添加したアルカリ剤（アルカノールアミン等）で中和してもよい。
【００３４】
また風合いを向上させるためには、モノ長鎖アルキル４級アンモニウム塩等の陽イオン界面活性剤を併用することが好ましい。
【００３５】
両性界面活性剤としてはアミンオキサイド、アルキルカルボベタイン、アルキルスルホベタイン、アルキルアミドヒドロキシスルホベタイン、アルキルアミドアミン型ベタイン、アルキルイミダゾリン型ベタイン等が配合できる。
【００３６】
本発明には、従来洗剤に配合することが知られている任意成分を配合することができる。このような任意成分として、エタノール等のアルコール類、エチレングリコール、分子量２００以上〜数千位の低分子量のポリエチレングリコール及びプロピレングリコール等のグリコール類、パラトルエンスルホン酸、安息香酸塩（防腐剤としての効果もある）並びに尿素等の減粘剤や可溶化剤；相調整剤及び洗浄力の向上のためのポリオキシアルキレンベンジルエーテル、ポリオキシアルキレンフェニルエーテル；２価金属イオン捕捉能を有する多価カルボン酸塩としてニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、ジグリコール酸、リンゴ酸、酒石酸、クエン酸等の塩；ポリビニルピロリドン等の色移り防止剤；アミラーゼ、プロテアーゼ、リパーゼ、セルラーゼ等の酵素；塩化カルシウム、硫酸カルシウム、ギ酸、ホウ酸（ホウ素化合物）等の酵素安定化剤；チノパールＣＢＳ（チバスペシャリティケミカルス社製）、ホワイテックスＳＡ（住友化学社製）等の蛍光染料；柔軟性付与を目的としたシリコーン；消泡剤としてのシリカ、シリコーン；ブチルヒドロキシトルエン、ジスチレン化クレゾール、亜硫酸ナトリウム、亜硫酸水素ナトリウム等の酸化防止剤；そのほか蛍光染料；青味付け剤；香料；抗菌防腐剤等が挙げられる。
【００３７】
本発明の液体洗浄剤組成物のｐＨは７．５〜１１（２５℃）が好ましく、ｐＨはアルカリ剤により調整することが好ましい。アルカリ剤としては、モノエタノールアミン、ジエタノールアミン、トリエタノールアミン、メチルモノエタノールアミン、ジメチルエタノールアミン、３−アミノプロパノール等のアルカノールアミン類、水酸化ナトリウム、水酸化カリウム等、珪酸ナトリウム、炭酸ナトリウム等の無機塩類を使用することができ、特にモノエタノールアミン、水酸化ナトリウム、水酸化カリウムから選ばれる１種以上が好ましい。
【００３８】
本発明における液体洗浄剤組成物は、木綿金巾＃２００３に液体洗浄剤組成物１重量％を均一に付着させた布を用い、ＪＩＳ  Ｌ  １９０２「繊維製品の抗菌性試験法」に準じた方法で抗菌性試験を行い阻止帯が見られるものが好ましい。
【００３９】
【実施例】
実施例１〜４、比較例１〜４
表１に示す液体洗浄剤組成物を調製し、得られた組成物の液安定性及び抗菌性の評価を以下の方法で行った。その結果を表１に示す。
【００４０】
〔液安定性の評価〕
５０ｍＬのサンプルビン（Ｎｏ．６広口規格ビン、ガラス製、直径４０ｍｍ、高さ８０ｍｍの円筒形）に、液体洗浄剤組成物を４０ｍＬ充填し、蓋をした後、２５℃の恒温室で３０日間静置した。液体の安定性は目視で外観を下記の基準で判定した。
○；均一液体相であり、液安定性に優れる。
△；やや分離又は析出しているように見えるが気にならない程度である。
×；分離又は析出が認められる。
【００４１】
〔抗菌性評価〕
下記の方法で作製した着用済み肌着を２ｃｍ×２ｃｍに裁断し、２枚を遠沈管（井内盛栄堂社製、容量５０ｍｌ、滅菌済み）に入れた。次に菌液（Ｓｔａｐｈｙｌｏｃｏｃｃｕｓ  ａｕｒｅｕｓ  ＩＦＯ１２７３２（黄色ブドウ球菌）１×１０３ｃｅｌｌｓ／ｍｌ）０．１ｍｌを添加し、更に液体洗浄剤組成物を滅菌水で希釈した５重量％溶液１０ｍｌを添加し、５分間攪拌した。次に処理した布を滅菌水２０ｍｌで１分間撹拌し濯いだ。次に布を取り出し、３０℃、相対湿度８５％で８時間乾燥させた。次に布を取り出し、滅菌した生理食塩水２０ｍｌで布を抽出した。この抽出液０．１ｍｌをＳＣＤＬＰ寒天培地に塗沫し、３７℃／２４時間培養し、選られた菌のコロニー数をカウントした。布１ｃｍ２当たりのコロニー数が１×１０３ｃｅｌｌｓ未満を○、１×１０３ｃｅｌｌｓ以上、１×１０５ｃｅｌｌｓ未満を△、１×１０５ｃｅｌｌｓ以上を×とした。１×１０３ｃｅｌｌｓ未満の場合を合格とする。
【００４２】
（着用済み肌着の作製）
木綿の肌着を１２時間着用し、液体洗浄剤組成物で洗濯し、乾燥させた。これを３０回繰り返し、着用済み肌着を作成した。なお、洗濯は次の条件で行った。東芝（株）製  銀河３．６（ＶＨ−３６０Ｓ１）洗濯機を用い、１０℃の水道水３０Ｌ、肌着１．５ｋｇ、液体洗浄剤２０ｍＬを入れ、弱反転撹拌で１０分間洗浄後、５分間脱水した。次に１０℃水道水３０Ｌで弱反転撹拌で１０分間濯いだ後、５分間脱水した。
【００４３】
【表１】
0003556554.tif 000005
【００４４】
（注）表１の成分は以下の通りである。
・非イオン界面活性剤１：炭素数１０〜１４の直鎖第２級アルコールにＥＯを平均８モル付加させたもの
・非イオン界面活性剤２：炭素数１０〜１４の直鎖第１級アルコールにＥＯを平均１２モル付加させたもの
・非イオン界面活性剤３：炭素数１０〜１４の直鎖第１級アルコールにＥＯを平均５モル、ＰＯを平均２モル、ＥＯを平均３モルの順にブロック付加させたもの
・非イオン界面活性剤４：炭素数１０〜１４の直鎖第１級アルコールにＥＯを平均８モル、ＰＯを平均２モル、ランダム付加させたもの
・脂肪酸：ケン化価２５７、ヨウ素価１０、中和価２５６のもの
【００４５】
【化７】
0003556554.tif 000006
【００４６】
・ＬＡＳ：炭素数１０〜１４の直鎖アルキルベンゼンスルホン酸
・ポリアクリル酸ナトリウム：重量平均分子量１００００
・酵素：デュラザイム１６．０Ｌ（プロテアーゼ、ノボノルディスクバイオインダストリー株式会社製）
・蛍光染料：チノパールＣＢＳ−Ｘ（チバスペシャリティケミカルス社製）